(57)【特許請求の範囲】
【請求項１】
それぞれ、外部接続部（５）と、ケース（４）と、ケース（４）に取り付けられるターミナル（６）を有する複数の接続部品と、
複数の接続部品（３）を収容する略直方体状のハウジング本体（２）とを備え、
各接続部品（３）のケース（４）がハウジング本体（２）の収容凹部（７）に嵌合して、外部接続部（５）がハウジング本体（２）の前面より突出するとともに、ターミナル（６）がハウジング本体（２）の背面若しくは底面より突出する端子板において、
ハウジング本体（２）は、ハウジング本体（２）の前面より凹設され、Ｍ段Ｎ列（Ｍ、Ｎは１から始まる正の整数）のマトリックス状の位置に配設された収容凹部（７）と、収容凹部（７）の内底面に、ハウジング本体（２）の背面から各収容凹部（７）に連通するように穿設されたターミナル挿通孔（８）とを備え、
各収容凹部（７）の輪郭を接続部品（３）のケース（４）の側面と嵌合する形状として、ケース（４）の側面が同一形状の複数の異なる種類の接続部品（３）を、同一向きで、いずれの収容凹部（７）へも嵌合接続できるようにしたことを特徴とする端子板。
【請求項２】
各収容凹部（７）の輪郭を、接続部品（３）のケース（４）の縦向きと横向きのいずれの側面とも嵌合する形状として、側面が同一形状のケース（４）を備えた接続部品（３）を、直交する縦向きと横向きのいずれかの向きで、いずれの収容凹部（７）へも嵌合接続できるようにしたことを特徴とする請求項１記載の端子板。
【請求項３】
それぞれ、外部接続部（５）と、ケース（４）と、ケース（４）に取り付けられるターミナル（６）を有する複数の接続部品と、
垂直に配置され、複数の接続部品（３）を収容する略直方体状のハウジング本体（２）とを備え、
各接続部品（３）のケース（４）がハウジング本体（２）の収容凹部（７）に嵌合して、外部接続部（５）がハウジング本体（２）の前面より突出するとともに、ターミナル（６）がハウジング本体（２）より突出して、水平に配置されたメイン配線基板（１０）の対応するパターンと電気接続する端子板において、
ハウジング本体（２）は、ハウジング本体（２）の前面より凹設され、Ｍ段Ｎ列（Ｍ、Ｎは１から始まる正の整数）のマトリックス状の位置に配設された収容凹部（７）と、収容凹部（７）の内底面に、ハウジング本体（２）の背面から各収容凹部（７）に連通するように穿設されたターミナル挿通孔（８）とを備え、
ハウジング本体（２）の背面にハウジング本体（２）と平行に中継基板（９）を取り付け、
各収容凹部（７）の輪郭を、接続部品（３）のケース（４）の側面と嵌合する形状とするとともに、ターミナル突出位置に対応する中継基板（９）上の位置にスルーホール（１１）を穿設し、
ケース（４）の側面が同一形状で、ケース（４）の同一位置からターミナル（６）が突出する複数の異なる種類の接続部品（３）を、同一向きで、いずれの収容凹部（７）へも嵌合接続できるようにして、嵌合接続された各接続部品（３）のターミナル（６）を中継基板（９）を介して、メイン配線基板（１０）のパターンと電気接続させたことを特徴とする端子板。
【請求項４】
各収容凹部（７）の輪郭を接続部品（３）のケース（４）の縦向きと横向きのいずれの側面とも嵌合する形状とするとともに、ケース（４）の縦向きと横向きのいずれのターミナル（６）突出位置にも対応する中継基板（９）上の位置にスルーホール（１１）を穿設し、側面が同一形状のケース（４）とケース（４）の同一位置から突出したターミナル（６）とを備えた接続部品（３）を、直交する縦向きと横向きのいずれかの向きで、いずれの収容凹部（７）へも嵌合接続できるようにして、嵌合接続された接続部品（３）のターミナル（６）を中継基板（９）を介して、メイン配線基板（１０）のパターンと電気接続させたことを特徴とする請求項３記載の端子板。
【請求項５】
最下段の収容凹部（７）の底壁（７１）にハウジング本体（２）の底辺に沿って前面より複数の鉛直案内溝（１２）が凹設され、接続部品（３）のＬ字状のターミナル（６１）を案内することを特徴とする請求項１、２、３または４記載の端子板。
【請求項６】
少なくとも左右いずれか一方側１列の収容凹部（７）の外側壁（７２）にハウジング本体（２）の側辺に沿って前面より複数の水平案内溝（１３）を凹設し、接続部品（３）のＬ字状のターミナル（６１）を案内することを特徴とする請求項２、４または５記載の端子板。
【請求項７】
ハウジング本体（２）の側面にハウジング本体（２）の側面と平行に補助基板（１４）を取り付けるとともに、左右いずれか一方側１列の収容凹部（７）の外側壁（７２）にハウジング本体（２）の側辺に沿って前面より複数の水平案内溝（１３）を凹設し、一方側１列の少なくとも一つの収容凹部（７）にＬ字状のターミナル（６１）を備えた接続部品（３）を横向きに嵌合接続して、Ｌ字状のターミナル（６１）を補助基板（１４）を介して、メイン配線基板（１０）のパターンと電気接続させたことを特徴とする請求項２、４または５記載の端子板。
【請求項８】
接続部品（３）のターミナル（６）は、ケース（４）背面の中央位置を中心として、水平線上で等ピッチの５箇所の位置のいずれかから突出し、ターミナル挿通孔（８）は、収容凹部（７）に収容された接続部品（３）のターミナル（６）が挿通するように、収容凹部（７）の内底面の中央位置を中心として、水平線上で等ピッチの５箇所の位置に穿設されたことを特徴とする請求項１、３または５記載の端子板。
【請求項９】
接続部品（３）のターミナル（６）は、ケース（４）背面の中央位置を中心として、十字形の直線上で等ピッチの９箇所の位置のいずれかから突出し、ターミナル挿通孔（８）は、収容凹部（７）に収容された接続部品（３）のターミナル（６）が挿通するように、収容凹部（７）の内底面の中央位置を中心として十字形の直線上で等ピッチの９箇所の位置に穿設されたことを特徴とする請求項１乃至６または７記載の端子板。
【請求項１０】
複数の接続部品（３）は、ミニＤＩＮソケット（３１）若しくはピンジャック（３２）のいずれか１種類、又はミニＤＩＮソケット（３１）とピンジャック（３２）の２種類からなることを特徴とする請求項１乃至９記載の端子板。
【請求項１１】
複数の接続部品（３）は、ミニＤＩＮソケット（３１）、ジャック（３３、３４）又はピンジャック（３２）からなることを特徴とする請求項１乃至９記載の端子板。
【発明の詳細な説明】
【０００１】
【産業上の利用分野】
この発明は、例えばテレビジョン受像機やビデオテープレコーダ（ＶＴＲ）の前面若しくは背面に取り付けられ、外部のオーディオビジュアル機器との入出力端子となるピンジャック３２やミニＤＩＮソケット３１等の接続部品３を配設した端子板に関する。
【０００２】
【従来の技術】
各種のオーディオビジュアル機器、例えばテレビ受像器では、図２０に示すように映像用で絶縁性ケース４が黄色に着色されたピンジャック３２と、音声用で左右の音声信号のために赤色と白色にそれぞれ着色されたピンジャック３２の合計３個が一組となっており、又近年はこのピンジャック３２の組の他に更にＳ−ＶＨＳ方式接続用としてミニＤＩＮソケット３１を加え一組としたものが、端子板に配設されている。
【０００３】
従来のテレビにおいては、これらのピンジャック３２からなる組は２組程度であったが、近年の大型テレビでは図２１に示すように、ＢＳ放送の入出力用端子等が加えられ、５組、６組等更に多くの組が備えられたものも増えている。
【０００４】
このような端子板は、端子板上の接続部品３の配列が規格により定められたものではなく、図２０、図２１の他に例えば図２２のように、機種毎に接続部品３の数もその配列も異なるものであった。
【０００５】
かかる機器に使用される端子板１００は、例えば図２３及び図２４に示すように、接続部品３であるピンジャック３２とミニＤＩＮソケット３１を収容する収容凹部１０３を、ハウジング本体１０２の背面側から上下３段で４列のマトリックス状の位置に凹設している。
【０００６】
接続部品３のターミナル６は、細い金属板からなり、直角に下方にＬ字状に折曲げたＬ字状のターミナル６１である。各ピンジャック３２は、２から３本のＬ字状のターミナル６１を備え、又ミニＤＩＮソケット３１は、５本のＬ字状のターミナル６１を備えている。
【０００７】
これらのピンジャック３２とミニＤＩＮソケット３１をハウジング本体１０２の背面側から収容凹部１０３に挿入し、外部接続部５をハウジング本体１０２の前面より突出させた状態で、ピンジャック３２のケース４に形成した係合部１０４をハウジング本体１０２の係合凹部（図示せず）に係合させ、背面側への抜け止めを行った後に、Ｌ字状のターミナル６１の脚部をメイン配線基板１０へ挿通させ、その電気的な接続を行っている。
【０００８】
【発明が解決しようとする課題】
このような構成の従来の端子板には、以下のような問題があった。
【０００９】
イ、オーディオビジュアル機器の機種毎に接続部品３の数もその配列も異なるものであるため、その都度異なるハウジング本体１０２を成型する必要があり、コストアップの原因となっていた。
【００１０】
例えば、図２０の端子板と図２１の端子板とを比較すると、ピンジャック３２とミニＤＩＮソケット３１の各接続部品３が左右対称に取り付けられているが、ピンジャック３２とミニＤＩＮソケット３１のケース４外形は、両者の外部接続部５の外径寸法が異なる（ピンジャック３２が８．３ｍｍに対し、ミニＤＩＮソケット３１は１２ｍｍ）ことから相違し、単純にハウジング本体１０２を共用して、入れ替えることができない。
【００１１】
又、ミニＤＩＮソケット３１は、取り付けの向きによって方向性を有しているが、図２２に示す縦向きから図２１の横向きに９０度回転させて取り付ける場合であっても、ハウジング本体１０２全体を成型しなおさなければならない。従って、わずかな変更に対しても大きな労力と費用を要していた。
【００１２】
ロ、端子板１００に取り付けられた接続部品３に、外部機器からのピンプラグ、ＤＩＮプラグ等を差し込む際には、接続部品３との接続がロック感覚、ロック音などで確認できない構造であるため、設計者の予測をはるかに越えた大きな挿入力でピンプラグ等が挿入されることがある。
【００１３】
しかして、背面側から接続部品３を取り付ける上記従来構造の端子板１００にあっては、ピンプラグ等から受ける挿入力が、係合部１０４に直接に伝達されるため、係合部１０４の係合がはずれて、接続部品３が背面側に脱落したり、背面側に移動して、メイン配線基板１０のパターンと電気的に接続する半田が脱落したり、欠損を生じる。
【００１４】
ハ、接続部品３のターミナル６は、直角に下方に折曲げたＬ字状のターミナル６１であるため、図２４に示すように上方に配置されればされるほど長いターミナルが必要となり、多くの金属材料を使用する。
【００１５】
しかも各ピンジャック３２は、２から３本のＬ字状のターミナル６１を備え、又ミニＤＩＮソケット３１にあっては、５本のＬ字状のターミナル６１を備えていることから、多数段になるとハウジング本体１０２の背面側にこれらのターミナルが集中し、ターミナル間でショートする可能性がある。
【００１６】
ニ、ピンジャック３２は、ピンプラグ挿入孔３２ａがケース４前後に貫通する構造であるため、図２４に示すような従来の端子板１００のハウジング本体１０２に取り付けられて、ピンプラグが挿入されていない状態では、外部から誤って導電ピンが挿入され、機器内部の活電部に接触して感電する危険がある。
【００１７】
従って、ＩＥＣ規格により、このような端子板１００には、導電ピンが機器内部に挿入されないような措置が要求されているが、この為に遮蔽板など別部品が必要となっていた。
【００１８】
ホ、従来の端子板１００は、ハウジング本体１０２をＶＴＲ機器等の化粧パネル１５にネジ止めして垂直に固定しているが、機器内の修理の際には、このネジを外し検査用のプラグなどを挿入するので、ハウジング本体１０２が後方へ傾きメイン配線基板１０との半田接続部が破壊したり、ターミナル脚部６１ａが折れ曲がることがあった。
【００１９】
又、この後倒れを防止するために、ハウジング本体１０２に図２４に示すような支持脚部１０５を一体に設けているものもあるが、余分な材料を使用するほか、ハウジング本体１０２の形状が複雑となり、例えばハウジング本体１０２を縦置きから横置きとして利用するなどで共用する場合の障害となっていた。
【００２０】
本発明は、上述の問題点に鑑みなされたもので、接続部品３の数や配列が異なっても、一つのハウジング本体で共用することができる端子板を提供することを目的とする。
【００２１】
更に、本発明はピンプラグ等による大きな挿入力を受けても接続部品３が脱落せず、メイン配線基板との接続不良を防止することができる端子板を提供することを目的とする。
【００２２】
更に、本発明はターミナルに使用する金属材料の使用量が少なく、しかもターミナル間がショートする恐れのない端子板を提供することを目的とする。
【００２３】
更に、本発明は特に遮蔽板などの別部品を用いることなく、ピンジャックから導電ピンが機器内部に侵入する危険のない端子板を提供することを目的とする。
【００２４】
【課題を解決するための手段】
この発明は、以上の問題点を解決するために、請求項１の発明に係る端子板は、それぞれ、外部接続部と、ケースと、ケースに取り付けられるターミナルを有する複数の接続部品と、複数の接続部品を収容する略直方体状のハウジング本体とを備え、各接続部品のケースがハウジング本体の収容凹部に嵌合して、外部接続部がハウジング本体の前面より突出するとともに、ターミナルがハウジング本体の背面若しくは底面より突出する端子板において、ハウジング本体は、ハウジング本体の前面より凹設され、Ｍ段Ｎ列（Ｍ、Ｎは１から始まる正の整数）のマトリックス状の位置に配設された収容凹部と、収容凹部の内底面に、ハウジング本体の背面から各収容凹部に連通するように穿設されたターミナル挿通孔とを備え、各収容凹部の輪郭を接続部品のケースの側面と嵌合する形状として、ケースの側面が同一形状の複数の異なる種類の接続部品を、同一向きで、いずれの収容凹部へも嵌合接続できるようにしたことを特徴とする。
【００２５】
更に、請求項２の発明は、各収容凹部の輪郭を、接続部品のケースの縦向きと横向きのいずれの側面とも嵌合する形状として、側面が同一形状のケースを備えた接続部品を、直交する縦向きと横向きのいずれかの向きで、いずれの収容凹部へも嵌合接続できるようにしたことを特徴とする。
【００２６】
又、請求項３の発明に係る端子板は、それぞれ、外部接続部と、ケースと、ケースに取り付けられるターミナルを有する複数の接続部品と、垂直に配置され、複数の接続部品を収容する略直方体状のハウジング本体とを備え、各接続部品のケースがハウジング本体の収容凹部に嵌合して、外部接続部がハウジング本体の前面より突出するとともに、ターミナルがハウジング本体より突出して、水平に配置されたメイン配線基板の対応するパターンと電気接続する端子板において、ハウジング本体は、ハウジング本体の前面より凹設され、Ｍ段Ｎ列（Ｍ、Ｎは１から始まる正の整数）のマトリックス状の位置に配設された収容凹部と、収容凹部の内底面に、ハウジング本体の背面から各収容凹部に連通するように穿設されたターミナル挿通孔とを備え、ハウジング本体の背面にハウジング本体と平行に中継基板を取り付け、各収容凹部の輪郭を、接続部品のケースの側面と嵌合する形状とするとともに、ターミナル突出位置に対応する中継基板上の位置にスルーホールを穿設し、ケースの側面が同一形状で、ケースの同一位置からターミナルが突出する複数の異なる種類の接続部品を、同一向きで、いずれの収容凹部へも嵌合接続できるようにして、嵌合接続された各接続部品のターミナルを中継基板を介して、メイン配線基板のパターンと電気接続させたことを特徴とする。
【００２７】
更に、請求項４の発明は、各収容凹部の輪郭を接続部品のケースの縦向きと横向きのいずれの側面とも嵌合する形状とするとともに、ケースの縦向きと横向きのいずれのターミナル突出位置にも対応する中継基板上の位置にスルーホールを穿設し、側面が同一形状のケースとケースの同一位置から突出したターミナルとを備えた接続部品を、直交する縦向きと横向きのいずれかの向きで、いずれの収容凹部へも嵌合接続できるようにして、嵌合接続された接続部品のターミナルを中継基板を介して、メイン配線基板のパターンと電気接続させたことを特徴とする。
【００２８】
更に、請求項５の発明は、最下段の収容凹部の底壁にハウジング本体の底辺に沿って前面より複数の鉛直案内溝が凹設され、接続部品のＬ字状のターミナルを案内することを特徴とする。
【００２９】
更に、請求項６の発明は、少なくとも左右いずれか一方側１列の収容凹部の外側壁にハウジング本体の側辺に沿って前面より複数の水平案内溝を凹設し、接続部品のＬ字状のターミナルを案内することを特徴とする。
【００３０】
更に、請求項７の発明は、ハウジング本体の側面にハウジング本体の側面と平行に補助基板を取り付けるとともに、左右いずれか一方側１列の収容凹部の外側壁にハウジング本体の側辺に沿って前面より複数の水平案内溝を凹設し、一方側１列の少なくとも一つの収容凹部にＬ字状のターミナルを備えた接続部品を横向きに嵌合接続して、Ｌ字状のターミナルを補助基板を介して、メイン配線基板のパターンと電気接続させたことを特徴とする。
【００３１】
更に、請求項８の発明は、接続部品のターミナルを、ケース背面の中央位置を中心として、水平線上で等ピッチの５箇所の位置のいずれかから突出し、ターミナル挿通孔は、収容凹部に収容された接続部品のターミナルが挿通するように、収容凹部の内底面の中央位置を中心として、水平線上で等ピッチの５箇所の位置に穿設されたことを特徴とする。
【００３２】
更に、請求項９の発明は、接続部品のターミナルを、ケース背面の中央位置を中心として、十字形の直線上で等ピッチの９箇所の位置のいずれかから突出し、ターミナル挿通孔は、収容凹部に収容された接続部品のターミナルが挿通するように、収容凹部の内底面の中央位置を中心として十字形の直線上で等ピッチの９箇所の位置に穿設されたことを特徴とする。
【００３３】
更に、請求項１０の発明は、複数の接続部品が、ミニＤＩＮソケット若しくはピンジャックのいずれか１種類、又はミニＤＩＮソケットとピンジャックの２種類からなることを特徴とする。
【００３４】
更に、請求項１１の発明は、複数の接続部品が、ミニＤＩＮソケット、ジャック又はピンジャックからなることを特徴とする。
【００３５】
【作用】
請求項１の発明によれば、ハウジング本体の前面から収容凹部に挿入された接続部品が収容凹部の内底面に当接して停止する。この収容凹部は、ピンプラグ等を接続部品に差し込む場合の挿入力を受け止める。従って、異常な挿入力を受けても接続部品が脱落せず、又、接続部品の背面側への移動に起因したメイン配線基板との半田接続部の脱落、欠損などの接続不良がなくなる。
【００３６】
一方、接続部品がピンプラグ等の抜去力から受ける前面側への力は、両者の接触圧から生じる摩擦力を限度とするもので、簡単な抜け止め機構を設けるか、ハウジング本体の前面に覆われた化粧パネルに当接させるだけで、ピンジャックが抜け出ることがない。
【００３７】
又、収容凹部がハウジング本体のＭ段Ｎ列（Ｍ、Ｎは１から始まる正の整数）のマトリックス状の位置に配設され、各収容凹部の輪郭が接続部品のケースの側面と嵌合する形状としているので、接続部品を異なる位置の収容凹部へ嵌合接続することができ、端子板に収容される接続部品の数、レイアウトが異なっても同一のハウジング本体を共用できる。ミニＤＩＮソケットとピンジャック等異なる種類の接続部品であっても、ケースの側面を同一形状とすれば、同様に異なる種類の接続部品間でも取り付け位置を変更することができ、レイアウトが異なっても同一のハウジング本体を共用できる。
【００３８】
請求項２の発明によれば、各収容凹部の輪郭を接続部品のケースの縦向きと横向きのいずれの側面とも嵌合する形状としているので、接続部品を、直交するいずれかの向きで、いずれの収容凹部へも嵌合接続できる。従って、ハウジング本体を９０度回転させれば、Ｍ段Ｎ列の収容凹部を備えたハウジング本体をＮ段Ｍ列の収容凹部を備えたハウジング本体と共用することができる。又、ミニＤＩＮソケット３１のように取り付けた状態で方向性のある接続部品は、ハウジング本体を変更することなく、嵌合接続状態を縦向きと横向きのいずれにも変更することができる。
【００３９】
請求項３の発明によれば、ハウジング本体の前面から収容凹部に挿入された接続部品が収容凹部の内底面に当接して停止する。接続部品のターミナルは、ターミナル挿通孔を挿通し、ハウジング本体の背面に取り付けられた中継基板のスルーホール１１より背面に突出し、中継基板を介してメイン配線基板のパターンと電気接続する。
【００４０】
収容凹部は、ピンプラグ等を接続部品に差し込む場合の挿入力を受け止める。従って、異常な挿入力を受けても接続部品が脱落せず、又、接続部品の背面側への移動に起因した中継配線基板との半田接続部の脱落、欠損などの接続不良がなくなる。
【００４１】
収容凹部がハウジング本体のＭ段Ｎ列（Ｍ、Ｎは１から始まる正の整数）のマトリックス状の位置に配設され、各収容凹部の輪郭が接続部品のケースの側面と嵌合する形状とし、ターミナルの突出位置に対応する中継基板上の位置にスルーホールが穿設されているので、接続部品を異なる位置の収容凹部へ嵌合接続することができ、端子板に収容される接続部品の数、レイアウトが異なっても同一のハウジング本体を共用できる。
【００４２】
ハウジング本体背面より突出したターミナルは、中継基板を介して、メイン配線基板と電気接続するので、ターミナル間でショートすることがない。
【００４３】
ピンジャックを通して外部から侵入する導電ピンは、中継基板へ当接し、機器内部へ侵入しない。
【００４４】
請求項４の発明によれば、各収容凹部の輪郭を接続部品のケースの縦向きと横向きのいずれの側面とも嵌合する形状とするとともに、ケースの縦向きと横向きのいずれのターミナル突出位置にも対応する中継基板上の位置にスルーホールを穿設しているので、接続部品を、直交するいずれかの向きで、いずれの収容凹部へも嵌合接続して、ターミナルを中継基板を介してメイン配線基板のパターンと電気接続させることができる。従って、ミニＤＩＮソケットのように取り付けた状態で方向性のある接続部品は、ハウジング本体を変更することなく、嵌合接続状態を縦向きと横向きのいずれにも変更することができる。
【００４５】
請求項５の発明によれば、最下段の収容凹部の底壁７１に凹設された鉛直案内溝をＬ字状のターミナルの脚部が挿通するので、ストレートターミナルとＬ字状のターミナルのいずれのターミナルを備えた接続部品であっても最下段の収容凹部へ嵌合接続できる。
【００４６】
請求項６の発明によれば、左右いずれか一方側１列の収容凹部の外側壁に凹設された水平案内溝に、Ｌ字状のターミナルの脚部が挿通するので、ハウジング本体を９０度回転させて、Ｍ段Ｎ列の収容凹部を備えたハウジング本体をＮ段Ｍ列の収容凹部を備えたハウジング本体と共用するときには、水平案内溝が最下段の収容凹部に凹設された鉛直案内溝となる。従って、ハウジング本体を９０度回転させても、ストレートターミナルを備えた接続部品とＬ字状のターミナルを備えた接続部品のいずれをも最下段の収容凹部へ嵌合接続できる。
【００４７】
請求項７の発明によれば、一方側１列の収容凹部にＬ字状のターミナルを備えた接続部品を横向きに嵌合接続することができる。このＬ字状のターミナル脚部は、水平案内溝を挿通し、ハウジング本体の側面に取り付けられた補助基板を介して、メイン配線基板のパターンと電気接続する。
【００４８】
請求項８の発明によれば、ターミナル挿通孔は、収容凹部に収容された接続部品のターミナルが挿通するように、収容凹部の内底面の中央位置を中心として、水平線上で等ピッチの５箇所の位置に穿設されているので、ケース背面の中央位置を中心として、水平線上で等ピッチの５箇所の位置のいずれかからストレートターミナルが突出した接続部品を収容凹部へ嵌合接続することができる。
【００４９】
請求項９の発明によれば、ターミナル挿通孔は、収容凹部に収容された接続部品のターミナルが挿通するように、収容凹部の内底面の中央位置を中心として、十字形の直線上で等ピッチの９箇所の位置に穿設されているので、ケース背面の中央位置を中心として、十字形の直線上で等ピッチの９箇所の位置のいずれかからストレートターミナルが突出した接続部品を収容凹部へ嵌合接続することができる。
【００５０】
又、ハウジング本体を９０度回転させて、Ｍ段Ｎ列の収容凹部を備えたハウジング本体をＮ段Ｍ列の収容凹部を備えたハウジング本体と共用する場合であっても、ケース背面の中央位置を中心として、十字形の直線上で等ピッチの９箇所の位置のいずれかからストレートターミナルが突出した接続部品であれば、収容凹部へ嵌合接続することができる。
【００５１】
請求項１０の発明によれば、ミニＤＩＮソケットとピンジャックのケースの側面を同一形状とすれば、端子板の異なる位置の収容凹部へ嵌合接続することができ、端子板に収容されるミニＤＩＮソケットとピンジャックの数、レイアウトが異なっても同一のハウジング本体を共用できる。
【００５２】
請求項１１の発明によれば、ミニＤＩＮソケット、ジャック又はピンジャックの側面を同一形状とすれば、端子板の異なる位置の収容凹部へ嵌合接続することができ、端子板に収容される接続部品の数、レイアウトが異なっても同一のハウジング本体を共用できる。
【００５３】
【実施例】
以下この発明の第一の実施例を図１乃至図１３で説明する。
【００５４】
図１は、端子板１の組立状態を示す分解斜視図で、複数の接続部品３と、この接続部品３が配設されるハウジング本体２と、ハウジング本体２の背面に取り付けられる接続基板としての中継基板９とを備えている。
【００５５】
ハウジング本体２に配設される接続部品３は、図８乃至図１０に示すミニＤＩＮソケット３１と、ストレートターミナル６２を備えたピンジャック３２と、ライトアングルターミナルであるＬ字状のターミナル６１を備えたピンジャック３２の３種類の接続部品３である。
【００５６】
ミニＤＩＮソケット３１は、外部機器からのＤＩＮプラグ（図示省略）が挿抜自在に差し込まれる外径１２ｍｍの円筒状外部接続部５を備え、この外部接続部５に外接するようにブロック状のケース４が絶縁性合成樹脂で成型されている。このブロック状ケース４を正面から見た輪郭は、一辺を１２ｍｍとする正方形の各コーナーを同形状でカットした八角形となっている。
【００５７】
ケース４の両側面と頂面には、ケース４をハウジング本体２から前方側へ抜け止めする係止突起４１が一体に突設されている。
【００５８】
又、ケース４の背面からは、４極の接触子のそれぞれから導出したターミナル６と円筒状アースリングから導出したターミナル６が突出し、その突出位置は図８（ｂ）に示すように、ケース４背面の中央位置を中心として、十字形の直線上で等ピッチの９箇所の位置の内の５箇所となっている。
【００５９】
ストレートターミナル６２を備えたピンジャック３２は、外部機器からのピンプラグ（図示省略）が挿抜自在に差し込まれる円筒状外部接続部５をブロック状のケース４の前面側に有すると共に、ケース４の背面からストレート状のターミナル６２が突出している。（図９参照）。ＳＷ機能を備えないピンジャック３２のターミナル６は、信号ターミナルとアースターミナルの２本からなり、ＳＷ付きピンジャック３２には、更にスイッチターミナルが備えられ、合計３本のターミナル６がケース４に取り付けられている。
【００６０】
このブロック状のケース４の頂面を含む側面形状は、上述のミニＤＩＮソケット３１のケース４と同一形状であり、従って係止突起４１もミニＤＩＮソケット３１のケース４と同一位置に形成されている。
【００６１】
ケース背面のターミナル突出位置は、図９（ｂ）に示すように、ケース背面の中央位置を中心として、水平線上で等ピッチの５箇所の位置の内の３箇所であり、この位置は、ケース背面の中央位置を中心として、十字形の直線上で等ピッチの９箇所の位置の内の３箇所ともなっている。
【００６２】
Ｌ字状のターミナル６１を備えたピンジャック３２は、ピンプラグ（図示省略）が挿抜自在に差し込まれる円筒状外部接続部５をブロック状のケース４の前面側に有すると共に、ケース４の底面からＬ字状のターミナル６１の脚部が突出している。
【００６３】
ケース底面のターミナル突出位置は、図１０（ｂ）に示すように、ケース背面から見て、等間隔となるような位置となっている。
【００６４】
このブロック状のケース４の側面形状も、底面のＬ字状のターミナル挿入用溝を除けば、上述のミニＤＩＮソケット３１のケース４と同一形状であり、係止突起４１もミニＤＩＮソケット３１のケース４と同一位置に形成されている。
【００６５】
つまり、異なる種類の接続部品３であってもケース４を前方より投影した投影形状の輪郭は八角形で同一であり、しかも、各ケース４は図示の縦向きの位置から一側面を底面とした横向きの位置としても、同一の投影形状の輪郭となっている。この輪郭に合わせて、後述するハウジング本体２の収容凹部７が形成されている。
【００６６】
ここで、ミニＤＩＮソケット３１と、左右の音声用の２個のピンジャック３２及び映像用の１個のピンジャック３２が１組となっており、組となるミニＤＩＮソケット３１と３個のピンジャック３２がハウジング本体２に最上段より順に縦１列に配設される。
【００６７】
本実施例にかかる端子板１は、更に２組の合計３組の接続部品３を備えているため、絶縁性合成樹脂で略直方体状に成型されたハウジング本体２には、図１に示すようにマトリックス状に４段３列の接続部品３を収容する収容凹部７がその前面より凹設されている。
【００６８】
各収容凹部７を前方より見た輪郭は、上述の通り、接続部品３のケース側面の輪郭である八角形状と略同一形状となっていて、いずれの種類の接続部品３が縦向きと横向きのいずれの向きで挿入されても嵌合できるようになっている。
【００６９】
収容凹部７の奥行きは、接続部品３のケース奥行きと略等しく、収容凹部７へケース４を嵌合接続した収容状態では、各接続部品３の外部接続部５がハウジング本体２の前面より突出して、外部機器からのピンプラグ等との挿抜が行われる。
【００７０】
最下段の収容凹部７の底壁７１には、ハウジング本体２の底辺に沿って等間隔で、前面より５本の鉛直案内溝１２が凹設されている。この鉛直案内溝１２は、Ｌ字状のターミナル６１を備えたピンジャック３２が前方より収容凹部７に挿入できるように、ケース４底面から突出するＬ字状のターミナル６１のターミナル脚部６１ａを挿通させ、収容凹部７内に案内するものである。
【００７１】
又、図１において右側１列の収容凹部７の外側壁７２にも、ハウジング本体２の側辺に沿って等間隔で、前面より５本の水平案内溝１３が凹設されている。この水平案内溝１３は、Ｌ字状のターミナル６１を備えたピンジャック３２が前方より横向きで収容凹部７に挿入できるように、ケース側面から突出するＬ字状のターミナル６１のターミナル脚部６１ａを挿通させ、収容凹部７内に案内するものである。
【００７２】
Ｌ字状のターミナル６１を備えたピンジャック３２を、横向きで右側１列の収容凹部７に嵌合接続できるようにすると、後述の第２実施例で詳述するようにハウジング側面に取り付けた補助基板１４を利用することができ、又、右側１列の収容凹部７を最下段の収容凹部７とするようにハウジング本体２を９０度回転すれば、４段３列の収容凹部７を備えた端子板１を、最下段にＬ字状のターミナル６１を備えたピンジャック３２を収容可能な３段４列の端子板とすることができる。
【００７３】
これらの案内溝が形成されている底壁７１と外側壁７２の面を除いて、収容凹部７の上下左右の各内面には、係止ガイド溝２１と、係止ガイド溝２１の後方に係止段部２２が設けられている。係止ガイド溝２１は、接続部品３が収容凹部７に挿入される際に、各接続部品３の係止突起４１を後方へ平行に案内し、接続部品３のケース４が収容凹部７内に完全に収容された位置で、係止段部２２と係止突起４１とが相互に係合する。
【００７４】
これにより接続部品３が前方へ抜け止め状態となり、ピンプラグ等の引き抜きの際における接続部品３の抜けを確実に防止することができる。
【００７５】
図２乃至図５に示すように、ハウジング本体２の背面から各収容凹部７に連通するように複数のターミナル挿通孔８が穿設されている。
【００７６】
このターミナル挿通孔８は、収容凹部７に収容された接続部品３のターミナル６が挿通するように、収容凹部７の内底面の中央位置を中心として十字形の直線上で等ピッチの９箇所の位置に穿設さている。
【００７７】
すなわち、接続部品３が収容凹部７に収容された状態で、ケース背面と収容凹部内底面の中央位置が一致し、ターミナル６の突出位置のピッチＬ1とターミナル挿通孔８のピッチＬ2が等しくなるように、各ターミナル挿通孔８が穿設されているので、十字形の直線上で等ピッチの９箇所の位置の内の５箇所からターミナル６が突出するミニＤＩＮソケット３１及び３箇所からターミナル６が突出するストレートターミナル６２を備えたピンジャック３２のいずれの接続部品３も、ターミナル６をターミナル挿通孔８へ挿通させ、収容凹部７へ収容させることができる。
【００７８】
このターミナル挿通孔８は、最下段の収容凹部内底面にも穿設されているので、最下段の収容凹部７へは、Ｌ字状のターミナル６１を備えたピンジャック３２とストレートターミナル６２を備えた接続部品３のいずれをも嵌合接続することができる。
【００７９】
更に、いずれの接続部品３のターミナル６も、ケース背面の中央位置を中心として、十字形の直線上で等ピッチの９箇所の位置のいずれかより突出しているので、接続部品３を縦向きから横向きに９０度回転しても、十字形の直線上で等ピッチの９箇所の位置のいずれかより突出することとなり、縦向きと横向きのいずれの向きでもターミナル６をターミナル挿通孔８へ挿通させ、収容凹部７へ収容させることができる。
【００８０】
最下段の収容凹部７において、水平線上の５箇所の位置に穿設されたターミナル挿通孔８の下方の５箇所の位置に、第１中継ターミナル１６を挿通させる中継ターミナル挿通孔１８が穿設されている。この内、中央の中継ターミナル挿通孔１８は、ターミナル挿通孔８が兼ねている。
【００８１】
第１中継ターミナル１６は、図６に示すように金属製の細長板状片であり、中継ターミナル挿通孔１８を挿通する挿通部１６ａの前端を下方へ直角に折曲げて、幅広部１６ｂを有する垂直支持部１６ｃとし、垂直支持部１６ｃの下端を更にクランク状に折曲げて、鉛直案内溝１２の内底面に沿って下方へ突出する中継ターミナル脚部１６ｄとするものである。
【００８２】
１６ｅは、第１中継ターミナル１６の長手方向に沿って形成されたリブであり、第１中継ターミナル１６を補強するものである。
【００８３】
図４及び図１２から明らかなように、最下段の収容凹部内底面の中継ターミナル挿通孔１８より下方の面は、第１中継ターミナル１６の厚みだけ後方に凹設され、収容凹部７内に接続部品３が収容された際に、ケース背面と収容凹部７内底面との間で、第１中継ターミナル１６の垂直支持部１６ｃを挟持し、位置決め固定するようにしている。
【００８４】
ハウジング本体背面の各中継ターミナル挿通孔１８の下方には、それぞれ第２中継ターミナル１７を位置決め固定する、位置決め凹部２３と位置決め溝２４が形成されている。
【００８５】
第２中継ターミナル１７は、図７に示すように金属製の細長板状片であり、挿通部１７ａの前端が下方に折曲げられた中継ターミナル脚部の側面には、Ｌ字状の固定片１７ｆが一体に形成されている。又、この第２中継ターミナル１７にも、補強用のリブ１７ｅが形成されている。
【００８６】
図３に示すように、位置決め凹部２３は、第２中継ターミナル１７の横幅に合わせた矩形状の凹部で、この位置決め凹部２３内に、第２中継ターミナル１７の固定片１７ｆを嵌入する位置決め溝２４が凹設されている。
【００８７】
図１２に示すように、第２中継ターミナル１７は、中継ターミナル脚部１７ｄがハウジング本体背面と中継基板９の間で挟持され、位置決め凹部２３と位置決め溝２４によってハウジング本体背面に位置決め固定される。
【００８８】
上述の中継ターミナル挿通孔１８、位置決め凹部２３、位置決め溝２４などの構成は、ハウジング本体２の最下段の収容凹部７及びその背面に形成されるものであるが、ハウジング本体２を９０度回転させて、右側１列の収容凹部７を最下段の収容凹部７とし、その内面及び背面にも第１、第２中継ターミナル１６、１７が位置決め固定できるように、該対応位置に同様の構成が形成されている。（図１乃至図３参照）。
【００８９】
中継基板９は、以上のようなハウジング本体２の背面に取り付けられる。この取り付けを行うため、ハウジング本体２の両側には、図１に示すように、フック１９が突出すると共に、中継基板９の対応する位置には、フックスリット２０が設けられている。そして、フック１９及びフックスリット２０が相互に係合することにより、中継基板９の取り付けが行われる。
【００９０】
この中継基板９は、ハウジング本体２の収容凹部７に挿入された接続部品３のターミナル６と第１、第２中継ターミナル１６、１７及び後述のアースプレート２６との電気的な接続を行うものである。この電気的接続は、中継基板９の背面側で行われるものであり、このため中継基板９には、図１３に示すように、接続部品３のターミナル６と、第１、第２中継ターミナル１６、１７が挿通するスルーホール１１が対応部位に、対応数形成されている。
【００９１】
すなわち、ミニＤＩＮソケット３１を収容する最上段の収容凹部７の背面には、ミニＤＩＮソケット３１の５本のターミナル６が挿通するように十字形の直線上に５個のスルーホール１１が穿設され、ピンジャック３２１を収容する中段（第２段と第３段）の収容凹部７背面には、それぞれＳＷ機能を備えないピンジャック３２の２本のターミナル６が挿通するように、水平線上に２個のスルーホール１１が穿設されている。
【００９２】
又、最下段の収容凹部７背面には、第１、第２中継ターミナル１６、１７が挿通する１０個のスルーホール１１が平行で２列の水平線上に穿設されている。
【００９３】
このように本実施例では、スルーホール１１は、ターミナル６が突出する対応部位にのみ形成されているが、予め第１、第２中継ターミナル１６、１７が挿通する１０個のスルーホール１１と、全ての収容凹部７の背面に相当する位置に、十字形の直線上で等ピッチの９箇所スルーホール１１を穿設した汎用基板を用いてもよい。
【００９４】
２５は中継基板９の背面に上下方向に形成されたカット用スリット２５であり、中継基板９を所定寸法にカッティングして任意の列のハウジング本体２に対して使用できるようにするものである。
【００９５】
本実施例では、このカット用スリット２５を利用して、図１１に示すアースプレート２６を取り付けている。
【００９６】
このアースプレート２６は、中継基板９側の端面脚部２６ａがカット用スリット２５に嵌合する。
【００９７】
又、アースプレート２６の下端面からはアース脚部２６ｂが垂下しており、このアース脚部２６ｂが図に示すように、メイン配線基板１０を挿通する。
【００９８】
かかるアースプレート２６はハウジング本体２及び中継基板９を背面から支持しており、これにより外部機器のピンプラグ等の差し込み時におけるこれらの後倒れを防止するように作用すると共に、中継基板９を通してメイン配線基板１０のアースパターンと電気接続するように作用し、中継基板９上のリードパターン２８の過密化を防ぐものである。
【００９９】
各スルーホール１１とカット用スリット２５の周囲には、リング状のランドパターン２７が形成されており、接続部品３のターミナル６周囲のランドパターン２７は、それぞれリードパターン２８によって、図１３に示すように第１、第２中継ターミナル１６、１７周囲のランドパターン２７及びアースプレート２６周囲のランドパターン２７に連続している。
【０１００】
中継基板背面より突出した各ターミナル６と第１、第２中継ターミナル１６、１７及びアースプレート２６の端面脚部２６ａは、それぞれその周囲のランドパターン２７に半田付けされ、その結果、各接続部品３のアースターミナルは、アースプレート２６と、その他のターミナルは、第１、第２中継ターミナル１６、１７と個々に電気接続する。
【０１０１】
そして、アースプレート２６のアース脚部２６ｂがメイン配線基板１０のアースパターンに、第１、第２中継ターミナル脚部１６ｄ、１７ｄがメイン配線基板１０の所定のパターンに、それぞれ半田接続される。
【０１０２】
つぎに本実施例の端子板１の組立てについて説明する。
【０１０３】
始めに、第２中継ターミナル１７をハウジング本体２の背面に取り付ける。
【０１０４】
第１、第２中継ターミナル１６、１７の取り付け本数は、各列毎に、中段及び上段に収容された接続部品３から突出するターミナル６の本数によって定まる。
【０１０５】
本実施例においては、アースターミナルを除いて、最上段のミニＤＩＮソケット３１から４本、中段のピンジャック３２から各１本の合計６本が背面側に突出することから、各列毎に、第１中継ターミナル１６が３本、第２中継ターミナル１７が３本取り付けられる。
【０１０６】
第２中継ターミナル１７の取り付けは、中継ターミナル脚部１７ｄの側面を位置決め凹部２３に合わせながら、固定片１７ｆをハウジング本体背面の位置決め溝２４へ嵌入させる。
【０１０７】
次いで、第２中継ターミナル１７をスルーホール１１へ挿通させながら、フック１９とフックスリット２０を係合することにより、中継基板９をハウジング本体２の背面に取り付け、第２中継ターミナル１７を中継基板９とハウジング本体２の間で挟持し固定する。
【０１０８】
その後、第１中継ターミナル１６をハウジング本体２の前面より鉛直案内溝１２に沿って組み入れ、挿通部１６ａを中継ターミナル挿通孔１８とスルーホール１１へ挿通させて、収容凹部７内に仮保持しておく。
【０１０９】
従って、第１、第２中継ターミナル１６、１７の挿通部１６ａ、１７ａは、中継基板９の背面側へ突出し、その脚部１６ｄ、１７ｄは、ハウジング本体２の下方へ突出している。
【０１１０】
中継ターミナル１６、１７を取り付けたハウジング本体２に、接続部品３を取り付ける。
【０１１１】
接続部品３の取り付けは、収容凹部７に対して、その前面側から行うものであり、収容凹部７に挿入された接続部品３は、ケース４の端面が収容凹部７の内底面に当接し、これと同時にケース４の係止突起４１が収容凹部７の係合段部と係合して、収容凹部７内で位置決め固定される。この時、第１中継ターミナル１６は、垂直支持部１６ｃがケース４背面と収容凹部７内底面との間で挟持され、位置決め固定される。
【０１１２】
この状態で、中段及び上段の収容凹部７に嵌合接続された接続部品３のストレートターミナル６２は、ターミナル挿通孔８とスルーホール１１を挿通して中継基板９の背面側に突出し、最下段の収容凹部７に嵌合接続された接続部品３のＬ字状のターミナル６１は、鉛直案内溝１２から、ハウジング本体２の下方へ突出している。
【０１１３】
Ｌ字状のターミナル６１は、第１中継ターミナル１６と同一の鉛直案内溝１２を挿通しているが、図１２に示すように第１中継ターミナル１６の前方に位置するので、接触することはない。
【０１１４】
全ての接続部品３の挿入終了後、アースプレート２６の端面脚部２６ａを中継基板９のカット用スリット２５に嵌合し、中継基板９の背面側へ突出したターミナル６及び端面脚部２６ａをそれぞれランドパターン２７と半田により接続する。
【０１１５】
その後図１１に示すようにハウジング本体２及び中継基板９をメイン配線基板１０に起立状に取り付け、Ｌ字状ターミナル脚部６１ａ、第１、第２中継ターミナル脚部１６ｄ、１７ｄ、アース脚部２６ｂをメイン配線基板１０の下面側で対応するパターンと半田接続して、組み立てを終了する。
【０１１６】
このように組み立てられた端子板１は、ＶＴＲなどＡＶ機器の化粧パネル１５を挿通する取り付けネジ（図示せず）をハウジング本体２のネジ孔５２へ螺着させ、化粧パネル１５の内面に沿って取り付けられる。
【０１１７】
この実施例の端子板１は、外部機器からのピンプラグ等が接続部品３に差し込まれるが、この差し込み時における挿入力をハウジング本体２の内底面が受け止めるため、接続部品３が抜け出ることがなく、接続部品３の移動による半田の脱落、欠損が生じることがない。
【０１１８】
本実施例では、４段３列の収容凹部７の全てに接続部品３を収容し、４段３列の接続部品３を備えた端子板１について説明したが、必ずしも全ての収容凹部７に接続部品３を収容する必要はなく、例えば、最上段や第３列の収容凹部７に接続部品３を収容せず、３段３列の端子板や４段２列の端子板としてもよい。
【０１１９】
次ぎに、本発明の第２実施例について、図１４乃至図１６で説明する。
【０１２０】
第２実施例に係る端子板５３の接続部品３、ハウジング本体２、第１中継ターミナル１６、第２中継ターミナル１７及びアースプレート２６の構成は、第１実施例と同一であるため、同一の番号を付してその説明を省略する。
【０１２１】
ハウジング本体２の正面から見て右側（第３列）の収容凹部７は、輪郭が接続部品３のケース４側面の輪郭である八角形状と略同一形状であり、又、収容凹部７の外側壁７２には、ハウジング本体２の側辺に沿って前面より複数の水平案内溝１３が凹設されているので、Ｌ字状のターミナル６１を備えた接続部品３を横向きに嵌合接続することができる。
【０１２２】
そこで本実施例においては、図１４に示すように、第３列の最上段にＬ字状のターミナル６１を備えたミニＤＩＮソケット３１を、中段（第２段と第３段）にＬ字状のターミナル６１を備えたピンジャック３２を横向きに収容している。尚、最下段の収容凹部７には、Ｌ字状のターミナル６１を備えたピンジャック３２が縦向きに収容されている。
【０１２３】
ハウジング本体２の右側面には、補助基板１４がこの側面と平行に取り付けられる。
【０１２４】
補助基板１４は、上述のＬ字状のターミナル６１と図１６に示すプリント配線基板間接続用コネクタ２９、電子部品３０等のターミナル６が突出する位置にそれぞれスルーホール１１が穿設され、補助基板１４の外側面には、図１５に示すように各スルーホール１１の周囲にランドパターン３７と、コネクタ２９周囲のランドパターン３７とその他のランドパターン３７間を接続するリードパターン３８が形成されている。
【０１２５】
プリント配線基板間接続用コネクタ２９は、一組のコネクタ２９、２９が補助基板１４とメイン配線基板１０に搭載され、このコネクタ２９間をフラットケーブル３９で接続することにより、補助基板１４上のリードパターン３８をメイン配線基板１０上のパターンへ電気接続するものである。
【０１２６】
又、電子部品３０は、抵抗、コンデンサ、ＩＣ等本来ＡＶ機器の回路素子として、メイン配線基板１０へ実装されているものであるが、メイン配線基板１０へ実装される部品数を減らして、メイン配線基板１０の小型化を図るものである。
【０１２７】
この実施例の端子板５３は、上述のように第３列の収容凹部７に収容された接続部品３のターミナル６が全て補助基板１４若しくはメイン配線基板１０と直接接続するので、中継基板９の第３列背面のランドパターン２７とリードパターン２８は、形成する必要がなくなり、又、第１、第２中継ターミナル１６、１７も不要となる。
【０１２８】
本実施例の端子板５３の組立ては、第１実施例と同様の手順によって、ハウジング本体２へ第１中継ターミナル１６、第２中継ターミナル１７、中継基板９、接続部品３を取り付けた後、ハウジング本体２側面に突出したＬ字状のターミナル６１を対応するスルーホール１１へ挿通するように、補助基板１４を外側面に取り付ける。
【０１２９】
又、図１６のようにプリント配線基板間接続用コネクタ２９及び所定の電子部品３０のターミナル６を補助基板１４のスルーホール１１へ挿通し、その後、外側面側に突出した各ターミナル６を、その周囲のランドパターン３７と半田接続する。
【０１３０】
この半田付けによって、外側面に突出したＬ字状のターミナル６１と電子部品３０のターミナルは、補助基板１４のリードパターン３８を介してプリント配線基板接続用コネクタ２９に電気接続し、更に補助基板１４がハウジング本体２の側面に固定される。
【０１３１】
続いて、フラットケーブル３９で接続された他方のプリント配線基板間接続用コネクタ２９のターミナルをメイン配線基板１０へ挿通し、ハウジング本体２から下方へ突出した他のＬ字状ターミナル脚部６１ａ、第１、第２中継ターミナル脚部１６ｄ、１７ｄ等とともにメイン配線基板１０の下面側で対応するパターンへ半田接続する。
【０１３２】
このようにして組み立てられた端子板５３は、ハウジング本体２の一方側１列の収容凹部７に収容された接続部品３のターミナル６を補助基板１４を介してメイン配線基板１０へ電気接続するので、中継ターミナルが不要となり、又、中継基板９に対応するリードパターン２８を形成する必要がなくなったので、中継基板９の過密化を防ぐことができる。
【０１３３】
更に、補助基板１４上の余剰スペースにメイン配線基板１０へ実装する電子部品類を搭載することができるので、メイン配線基板１０を小型化することができる。
【０１３４】
更に、補助基板１４は、ハウジング本体２及び中継基板９を垂直に支持しており、これにより外部機器のピンプラグ等の差し込み時におけるこれらの後倒れを防止することができる。
【０１３５】
次ぎに、本発明の第３実施例について、図１７乃至図１９で説明する。
【０１３６】
この実施例に係る端子板５４は、第１実施例に示した端子板１のハウジング本体２を、図１７（ａ）に示す縦１列の収容凹部７を備えた第１ハウジング本体５０と、図１７（ｂ）に示す縦２列の収容凹部７を備えた第２ハウジング本体５１とで構成したものである。
【０１３７】
この他、第１の実施例に係る端子板１とは、ハウジング本体に水平案内溝１３が形成されていないことを除いてほぼ同一構成である。
【０１３８】
従って、４段１列の収容凹部７を備えた端子板は、第１ハウジング本体５０を用いて、４段２列の収容凹部７を備えた端子板は、第２ハウジング本体５１を用いて形成することができる。
【０１３９】
各ハウジング本体の左右の側面形状は、相補的な形状となっていて、第１ハウジング本体５０と第２ハウジング本体５１から任意のハウジング本体を組み合わせて連結できるようになっている。
【０１４０】
この第１ハウジング本体５０と第２ハウジング本体５１は、第１実施例と同様に第１中継ターミナル１６、第２中継ターミナル１７及び接続部品３を取り付けた後、図１８及び図１９に示すように、第１ハウジング本体５０と第２ハウジング本体５１の背面に取り付けられた共通の中継基板９のパターンへこれらのターミナル６を半田接続することによって相互を固定する。
【０１４１】
本実施例の端子板５４によれば、４段１列の端子板に用いる第１ハウジング本体５０と、４段２列の端子板に用いる第２ハウジング本体５１を用いて形成することができるので、新たに４段３列の収容凹部７を備えたハウジング本体を成型する必要がない。
【０１４２】
又、第１ハウジングと第２ハウジングをそれぞれ９０度回転して横置きとし、１段４列と２段４列の収容孔を備えた端子板のハウジング本体とすることができ、更にこのハウジング本体を積層し、３段４列の収容孔を備えた端子板に用いるハウジング本体とすることもできる。
【０１４３】
すなわち、基本ユニットのハウジング本体（例えば第１ハウジング本体５０と第２ハウジング本体５１）を組み合わせて、任意のＭ段Ｎ列（Ｍ、Ｎは１から始まる正の整数）のハウジング本体を形成することができ、ハウジング本体を共用することができる。
【０１４４】
尚、本実施例において、第１ハウジング本体５０と第２ハウジング本体５１には、第１実施例の水平案内溝１３が形成されていないが、水平案内溝１３を設けてあってもよい。
【０１４５】
この発明は、上記実施例に限定されることなく、種種の変形が可能である。例えば、メイン配線基板１０をハウジング本体２の背面に直接取り付けてもよい。この場合は、中継基板９が不要となり、部品点数が減じるメリットがある。
【０１４６】
又、接続部品３は、ミニＤＩＮソケット３１、ピンジャック３２の他、図２０に示すようなピンジャック３２等と共に端子板へ取り付けられるヘッドホーンプラグ接続用のミニジャック３４や大型ジャック３３であってもよい。
【０１４７】
【発明の効果】
以上説明したように、請求項１の発明によれば、接続部品３を収容する収容凹部７が、ハウジング本体２の前面から凹設されているので、接続部品３がピンプラク等から異常な挿入力を受けても接続部品３が脱落せず、又、接続部品３の背面側への移動に起因したメイン配線基板１０との半田接続部の脱落、欠損などの接続不良がなくなる。
【０１４８】
又、収容凹部７がハウジング本体２のＭ段Ｎ列（Ｍ、Ｎは１から始まる正の整数）のマトリックス状の位置に配設され、各収容凹部７の輪郭が接続部品３のケース４の側面と嵌合する形状としているので、接続部品３を任意の異なる位置の収容凹部７へ嵌合接続することができ、端子板に収容される接続部品３の数、レイアウトが異なっても同一のハウジング本体２を共用できる。
【０１４９】
更に、ミニＤＩＮソケット３１とピンジャック３２等異なる種類の接続部品３であっても、ケース４の側面を同一形状とすれば、同様に異なる種類の接続部品３間でも取り付け位置を変更することができ、レイアウトが異なっても同一のハウジング本体２を共用できる。
【０１５０】
請求項２の発明によれば、各収容凹部７の輪郭を接続部品３のケース４の縦向きと横向きのいずれの側面とも嵌合する形状としているので、接続部品３を、直交するいずれかの向きで、いずれの収容凹部７へも嵌合接続できる。従って、ハウジング本体２を９０度回転させれば、Ｍ段Ｎ列の収容凹部７を備えたハウジング本体２をＮ段Ｍ列の収容凹部７を備えたハウジング本体２と共用することができる。
【０１５１】
又、ミニＤＩＮソケット３１のように取り付けた状態で方向性のある接続部品３は、ハウジング本体２を変更することなく、嵌合接続状態を縦向きと横向きのいずれにも変更することができる。
【０１５２】
請求項３の発明によれば、ハウジング本体２の前面から収容凹部７に挿入された接続部品３のターミナル６は、中継基板９を介してメイン配線基板１０のパターンと電気接続する。従って、ハウジング本体２背面より突出したターミナル６は、メイン配線基板１０まで垂下する必要がないので材料を節約することができ、又、ターミナル６間でショートする恐れもない。
【０１５３】
更に、接続部品３を収容する収容凹部７が、ハウジング本体２の前面から凹設されているので、接続部品３がピンプラク等から異常な挿入力を受けても接続部品３が脱落せず、又、接続部品３の背面側への移動に起因したメイン配線基板１０との半田接続部の脱落、欠損などの接続不良がなくなる。
【０１５４】
更に、収容凹部７がハウジング本体２のＭ段Ｎ列（Ｍ、Ｎは１から始まる正の整数）のマトリックス状の位置に配設され、各収容凹部７の輪郭が接続部品３のケース４の側面と嵌合する形状としているので、接続部品３を任意の異なる位置の収容凹部７へ嵌合接続することができ、端子板に収容される接続部品３の数、レイアウトが異なっても同一のハウジング本体２を共用できる。
【０１５５】
更に、ミニＤＩＮソケット３１とピンジャック３２等異なる種類の接続部品３であっても、ケース４の側面を同一形状とすれば、同様に異なる種類の接続部品３間でも取り付け位置を変更することができ、レイアウトが異なっても同一のハウジング本体２を共用できる。
【０１５６】
更に、ハウジング本体２の背面には、中継基板９が取り付けられているので、接続部品３を通して外部から侵入する導電ピンは、中継基板９へ当接し、機器内部へ侵入することがないので、不用意に導電ピンを挿入して機器内部の活電部に触れ感電するという危険がない。
【０１５７】
請求項４の発明によれば、各収容凹部７の輪郭を接続部品３のケース４の縦向きと横向きのいずれの側面とも嵌合する形状とするとともに、ケース４の縦向きと横向きのいずれのターミナル６突出位置にも対応する中継基板９上の位置にスルーホール１１を穿設しているので、接続部品３を、直交するいずれかの向きで、いずれの収容凹部７へも嵌合接続して、ターミナル６を中継基板９を介してメイン配線基板１０のパターンと電気接続させることができる。
【０１５８】
従って、ミニＤＩＮソケット３１のように取り付けた状態で方向性のある接続部品３は、ハウジング本体２を変更することなく、嵌合接続状態を縦向きと横向きのいずれにも変更することができる。
【０１５９】
請求項５の発明によれば、最下段の収容凹部７の底壁７１に凹設された鉛直案内溝１２をＬ字状のターミナル６１の脚部が挿通するので、ストレートターミナル６２とＬ字状のターミナル６１のいずれのターミナル６を備えた接続部品３であっても最下段の収容凹部７へ嵌合接続できる。
【０１６０】
請求項６の発明によれば、左右いずれか一方側１列の収容凹部７の外側壁７２に水平案内溝１３を凹設したので、ハウジング本体２を９０度回転させても、ストレートターミナル６２を備えた接続部品３とＬ字状のターミナルを備えた接続部品３のいずれをも最下段の収容凹部７へ嵌合接続できる。
【０１６１】
請求項７の発明によれば、一方側１列の収容凹部７に収容された接続部品３のＬ字状のターミナルをハウジング本体２の側面に取り付けられた補助基板１４を介して、メイン配線基板１０のパターンと電気接続することができる。
【０１６２】
従って、この接続部品３に対応する中継基板９のリードパターン２８を形成する必要がなくなり、中継基板９のパターン過密化を防ぐことができる。
【０１６３】
又、補助基板１４上にメイン配線基板１０へ実装する電子部品３０を搭載することができるので、メイン配線基板１０を小型化することができる。
【０１６４】
更に、ハウジング本体２の側面と平行に補助基板１４が取り付けられるので、ハウジング本体２を側面で支持し、外部機器のピンプラグ等の差し込み時におけるハウジング本体２の後倒れを防止できる。
【０１６５】
請求項８の発明によれば、収容凹部７の内底面の中央位置を中心として、水平線上で等ピッチの５箇所の位置にターミナル６挿通孔が穿設されているので、ケース４の側面が同一形状で、ケース４背面の中央位置を中心として５箇所の位置のいずれかからターミナル６が突出する接続部品３であれば、その種類を問わずいずれの収容凹部７へも嵌合接続させることができる。
【０１６６】
請求項９の発明によれば、収容凹部７の内底面の中央位置を中心として、十字形の直線上で等ピッチの９箇所の位置にターミナル挿通孔８が穿設されているので、ケース４の側面が同一形状で、ケース４背面の中央位置を中心として十字形の直線上で等ピッチの９箇所の位置のいずれかからターミナル６が突出する接続部品３であれば、その種類を問わず、又縦横の取り付け向きを問わず、いずれの収容凹部７へも嵌合接続させることができる。
【０１６７】
従って、ハウジング本体２を９０度回転させて、Ｍ段Ｎ列の収容凹部７を備えたハウジング本体２をＮ段Ｍ列の収容凹部７を備えたハウジング本体２と共用する場合であっても、接続部品３をレイアウト自在に収容することができる。
【０１６８】
請求項１０の発明によれば、ミニＤＩＮソケット３１とピンジャック３２の
ケース４の側面を同一形状とすれば、それぞれ自由に端子板の異なる位置の収容凹部７へ嵌合接続することができ、端子板に収容されるミニＤＩＮソケット３１とピンジャック３２の数、レイアウトが異なっても同一のハウジング本体２を共用できる。
【０１６９】
請求項１１の発明によれば、ミニＤＩＮソケット３１、ジャック３３又はピンジャック３２の側面を同一形状とすれば、端子板の異なる位置の収容凹部７へ嵌合接続することができ、端子板に収容される接続部品３の数、レイアウトが異なっても同一のハウジング本体２を共用できる。
【０１７０】
【図面の簡単な説明】
【図１】この発明の一実施例を示す端子板の分解斜視図である。
【図２】ハウジング本体２の正面図である。
【図３】ハウジング本体２の背面図である。
【図４】図２のＹ−Ｙ断面図である。
【図５】図２のＸ−Ｘ断面図である。
【図６】第１中継ターミナル１６の
（ａ）平面図
（ｂ）背面図
（ｃ）側面図である。
【図７】第２中継ターミナル１７の
（ａ）平面図
（ｂ）背面図
（ｃ）側面図である。
【図８】ミニＤＩＮソケット３１の
（ａ）斜視図
（ｂ）背面図である。
【図９】ストレートターミナル６２を備えたピンジャック３２の
（ａ）斜視図
（ｂ）背面図である。
【図１０】Ｌ字状のターミナル６１を備えたピンジャック３２の
（ａ）斜視図
（ｂ）背面図である。
【図１１】接続部品３を収容した端子板の側面図である。
【図１２】接続部品３を収容した端子板の縦断面図である。
【図１３】接続部品３を収容した端子板の背面図である。
【図１４】本発明の第２実施例に係る端子板の正面図である。
【図１５】図１４の側面図である。
【図１６】図１４の平面図である。
【図１７】本発明の第３実施例に係る端子板に使用される
（ａ）４段１列の収容凹部７を備えたハウジング本体の正面図
（ｂ）４段２列の収容凹部７を備えたハウジング本体の正面図である。
【図１８】本発明の第３実施例に係る端子板の正面図である。
【図１９】図１８の背面図である。
【図２０】従来の端子板の正面図である。
【図２１】他の従来例を示す端子板の正面図である。
【図２２】更に他の従来例を示す端子板の正面図である。
【図２３】従来の端子板の組立状態を示す分解斜視図である。
【図２４】従来の端子板の側面図である。
【符号の説明】
２    ハウジング本体
３    接続部品
４    ケース
５    外部接続部
６    ターミナル
７    収容凹部
８    ターミナル挿通孔
９    中継基板
１０  メイン配線基板
１１  スルーホール
１２  鉛直案内溝
１３  水平案内溝
１４  補助基板
３１  ミニＤＩＮソケット
３２  ピンジャック
３３  ジャック
７１  底壁
７２  外側壁
【図１】
0003780538.tif 000002
【図２】
0003780538.tif 000003
【図３】
0003780538.tif 000004
【図４】
0003780538.tif 000005
【図５】
0003780538.tif 000006
【図６】
0003780538.tif 000007
【図７】
0003780538.tif 000008
【図８】
0003780538.tif 000009
【図９】
0003780538.tif 000010
【図１０】
0003780538.tif 000011
【図１１】
0003780538.tif 000012
【図１２】
0003780538.tif 000013
【図１３】
0003780538.tif 000014
【図１４】
0003780538.tif 000015
【図１５】
0003780538.tif 000016
【図１６】
0003780538.tif 000017
【図１７】
0003780538.tif 000018
【図１８】
0003780538.tif 000019
【図１９】
0003780538.tif 000020
【図２０】
0003780538.tif 000021
【図２１】
0003780538.tif 000022
【図２２】
0003780538.tif 000023
【図２３】
0003780538.tif 000024
【図２４】
0003780538.tif 000025